(57)【要約】【課題】計測装置の配線が誤っている場合でも正しい電力を計測することができるエネルギー管理装置及びプログラムを提供する。【解決手段】エネルギー管理装置１は、通信部１１と、出力部１２１と、設定部１３とを備える。通信部１１は、計測装置２から計測データを受信する。計測装置２は、電力系統から需要家施設へ供給される第１電力と需要家施設から電力系統へ供給される第２電力との少なくとも一方を計測し当該計測結果を表す計測データを出力する。設定部１３は、出力部１２１の動作モードを第１モードと第２モードとのいずれかに設定する。出力部１２１は、第１モードでは、計測データに含まれているデータをそのまま出力する。出力部１２１は、第２モードでは、計測データに含まれているデータを入れ替えて出力する。【選択図】図１
2018098939.tif 000002
【特許請求の範囲】
【請求項１】
電力系統から需要家施設へ供給される第１電力と前記需要家施設から前記電力系統へ供給される第２電力との少なくとも一方を計測して当該計測結果を表す計測データを出力する計測装置から前記計測データを受信する通信部と、
動作モードとして第１モードと第２モードとを有する出力部と、
前記出力部の前記動作モードを前記第１モードと前記第２モードとのいずれかに設定する設定部とを備え、
前記出力部は、前記第１モードでは、前記計測データに前記第１電力のデータが含まれていれば前記第１電力のデータとして出力し、前記計測データに前記第２電力のデータが含まれていれば前記第２電力のデータとして出力するように構成され、
前記出力部は、前記第２モードでは、前記計測データに前記第１電力のデータが含まれていれば前記第２電力のデータとして出力し、前記計測データに前記第２電力のデータが含まれていれば前記第１電力のデータとして出力するように構成されている
ことを特徴とするエネルギー管理装置。
【請求項２】
前記設定部は、ユーザの操作を受け付ける操作部を有し、前記操作部が前記ユーザの操作を受け付けた場合に、前記出力部の前記動作モードを前記第２モードに設定するように構成されている
ことを特徴とする請求項１に記載のエネルギー管理装置。
【請求項３】
前記計測データに基づいて前記需要家施設における電力量を演算する演算部と、
前記演算部の演算結果である前記電力量を記憶する記憶部とを更に備え、
前記出力部は、前記第２モードでは、前記動作モードが前記第１モードであるときに前記記憶部に記憶させた前記電力量について、正負を反転させた前記電力量を前記記憶部に記憶させる、又は、前記記憶部から読み出した後に前記電力量の正負を反転させるように構成されている
ことを特徴とする請求項１又は２に記載のエネルギー管理装置。
【請求項４】
前記出力部の出力を提示する提示部を更に備えている
ことを特徴とする請求項１〜３のいずれか１項に記載のエネルギー管理装置。
【請求項５】
コンピュータに、
電力系統から需要家施設へ供給される第１電力と前記需要家施設から前記電力系統へ供給される第２電力との少なくとも一方を計測して当該計測結果を表す計測データを出力する計測装置から前記計測データを受信する受信ステップと、
前記計測データに含まれているデータを出力する出力ステップと、
前記出力ステップでの動作モードを第１モードと第２モードとのいずれかに設定する設定ステップと、を実行させるためのプログラムであって、
前記出力ステップにおいて、
前記動作モードが前記第１モードであるときには、前記計測データに前記第１電力のデータが含まれていれば前記第１電力のデータとして出力し、前記計測データに前記第２電力のデータが含まれていれば前記第２電力のデータとして出力し、
前記動作モードが前記第２モードであるときには、前記計測データに前記第１電力のデータが含まれていれば前記第２電力のデータとして出力し、前記計測データに前記第２電力のデータが含まれていれば前記第１電力のデータとして出力するプログラム。
【発明の詳細な説明】
【技術分野】
【０００１】
本発明は、一般にエネルギー管理装置及びプログラムに関し、より詳細には、需要家施設のエネルギーを管理するエネルギー管理装置及びプログラムに関する。
【背景技術】
【０００２】
従来、スマートメータからの計測情報に基づいて需要家全体での消費電力量を計測する計測装置が提供されている（例えば特許文献１参照）。特許文献１に記載の計測装置は、計測部と、通信部（第２通信部）とを備える。計測部は、分電盤における主幹系統及び各分岐系統を流れる電流と主幹系統の電圧とを計測し、これらの電流及び電圧に基づいて、主幹系統及び各分岐系統の消費電力を計測する機能を有している。通信部は、スマートメータとの間で双方向に電力線搬送通信を行うように構成されており、スマートメータから計測情報を取得する。
【０００３】
特許文献１に記載の計測装置では、スマートメータからの計測情報に基づいて計測部での計測結果を補正することにより、需要家全体における消費電力量を精度よく計測することができる。
【先行技術文献】
【特許文献】
【０００４】
【特許文献１】特開２０１４−２０２５４２号公報
【発明の概要】
【発明が解決しようとする課題】
【０００５】
ところで、特許文献１に記載の計測装置では、スマートメータの配線が誤っていると、スマートメータからの誤った計測情報に基づいて計測部での計測結果を補正することになり、需要家全体における消費電力量を正しく計測できない場合があった。
【０００６】
本発明は上記課題に鑑みてなされており、計測装置（スマートメータ）の配線が誤っている場合でも正しい電力を計測することができるエネルギー管理装置及びプログラムを提供することを目的とする。
【課題を解決するための手段】
【０００７】
本発明の一態様に係るエネルギー管理装置は、通信部と、出力部と、設定部とを備える。前記通信部は、計測装置から計測データを受信する。前記計測装置は、電力系統から需要家施設へ供給される第１電力と前記需要家施設から前記電力系統へ供給される第２電力との少なくとも一方を計測して当該計測結果を表す前記計測データを出力する。前記出力部は、動作モードとして第１モードと第２モードとを有する。前記設定部は、前記出力部の前記動作モードを前記第１モードと前記第２モードとのいずれかに設定する。前記出力部は、前記第１モードでは、前記計測データに前記第１電力のデータが含まれていれば前記第１電力のデータとして出力し、前記計測データに前記第２電力のデータが含まれていれば前記第２電力のデータとして出力するように構成されている。前記出力部は、前記第２モードでは、前記計測データに前記第１電力のデータが含まれていれば前記第２電力のデータとして出力し、前記計測データに前記第２電力のデータが含まれていれば前記第１電力のデータとして出力するように構成されている。
【０００８】
本発明の一態様に係るプログラムは、コンピュータに、受信ステップと、出力ステップと、設定ステップと、を実行させる。前記受信ステップは、計測装置から計測データを受信するステップである。前記計測装置は、電力系統から需要家施設へ供給される第１電力と前記需要家施設から前記電力系統へ供給される第２電力との少なくとも一方を計測して当該計測結果を表す前記計測データを出力する。前記出力ステップは、前記計測データに含まれているデータを出力するステップである。前記設定ステップは、前記出力ステップでの動作モードを第１モードと第２モードとのいずれかに設定するステップである。前記出力ステップにおいて前記動作モードが前記第１モードであるとき、前記計測データに前記第１電力のデータが含まれていれば前記第１電力のデータとして出力し、前記計測データに前記第２電力のデータが含まれていれば前記第２電力のデータとして出力する。前記出力ステップにおいて前記動作モードが前記第２モードであるとき、前記計測データに前記第１電力のデータが含まれていれば前記第２電力のデータとして出力し、前記計測データに前記第２電力のデータが含まれていれば前記第１電力のデータとして出力する。
【発明の効果】
【０００９】
本発明によれば、計測装置の配線が誤っている場合でも正しい電力を計測することができる。
【図面の簡単な説明】
【００１０】
【図１】図１は、本発明の一実施形態に係るエネルギー管理装置のブロック図である。
【図２】図２Ａは、同上のエネルギー管理装置の提示部に表示される表示画面であって、計測装置の配線が正しい場合の表示画面である。図２Ｂは、同上のエネルギー管理装置の提示部に表示される表示画面であって、計測装置の配線が誤っている場合の表示画面である。
【図３】図３は、同上のエネルギー管理装置の提示部に表示される設定画面である。
【図４】図４Ａは、同上のエネルギー管理装置を含むシステム構成図であって、計測装置の配線が正しい場合のシステム構成図である。図４Ｂは、同上のエネルギー管理装置を含むシステム構成図であって、計測装置の配線が誤っている場合のシステム構成図である。
【図５】図５は、同上のエネルギー管理装置の動作を説明するフローチャートである。
【発明を実施するための形態】
【００１１】
以下、本発明の一実施形態について説明する。下記の実施形態は、本発明の様々な実施形態の一つに過ぎない。また、下記の実施形態は、本発明の目的を達成できれば、設計等に応じて種々の変更が可能である。
【００１２】
以下では、エネルギー管理装置が、需要家施設である戸建て住宅に用いられている場合を例として説明するが、需要家施設は、戸建て住宅に限らず、例えば集合住宅の各住戸、事務所、店舗等であってもよい。
【００１３】
本実施形態のエネルギー管理装置１は、図１に示すように、通信部１１と、制御部１２と、設定部１３と、記憶部１４と、提示部１５とを備えている。
【００１４】
通信部１１は、電波を伝送媒体に用いて計測装置２（後述する）との間で双方向に無線通信を行うように構成されている。例えば本実施形態では、通信部１１は、計測装置２との間で、Ｗｉ−ＳＵＮ（Wireless Smart Utility Network）に準拠した無線通信を行うように構成されている。通信部１１は、計測装置２との無線通信により、計測装置２から計測データを受信する。計測データには、例えば、３０分間の消費電力の積算値を表す電力使用量のデータ、３０分間の逆潮流の積算値を表す逆潮流値のデータ、瞬時電力値のデータ等が含まれている。本実施形態では、瞬時電力値として、第１電力と第２電力との少なくとも一方の瞬時値が計測データに含まれている。第１電力は、電力系統３（図４Ａ参照）から需要家施設７（図４Ａ参照）に供給される電力であって、需要家施設７が電力会社等の電気事業者から買う電力である。第２電力は、需要家施設７から電力系統３に供給（逆潮流）される電力であって、需要家施設７が電気事業者に対して売る電力である。したがって、電力系統３から需要家施設７に第１電力が供給されている状態では、計測データに第１電力のデータが含まれており、需要家施設７から電力系統３に第２電力が供給されている状態では、計測データに第２電力のデータが含まれている。また、電力系統３から需要家施設７に第１電力が供給され、かつ需要家施設７から電力系統３に第２電力が供給されている状態では、計測データに第１電力のデータと第２電力のデータとが含まれている。
【００１５】
制御部１２は、例えばマイコン（マイクロコンピュータ）を主構成とし、マイコンのメモリに記録されたプログラムをＣＰＵ（Central Processing Unit）で実行することにより、制御部１２として機能する。本実施形態では、制御部１２は、図１に示すように、出力部１２１と、演算部１２２とを有している。そして、制御部１２は、上記プログラムをＣＰＵで実行することにより、出力部１２１及び演算部１２２としての機能を実現する。上記プログラムは、ここではマイコンのメモリに予め記録されているが、メモリカードのような記録媒体に記録されて提供されたり、電気通信回線を通して提供されたりしてもよい。
【００１６】
出力部１２１は、計測装置２からの計測データに含まれている電力又は電力量のデータを出力するように構成されている。出力部１２１は、動作モードとして、第１モードと第２モードとを有している。出力部１２１は、第１モードでは、計測データに含まれている電力又は電力量のデータをそのまま出力する。言い換えると、出力部１２１は、第１モードでは、計測データに含まれているデータが第１電力のデータであれば、第１電力のデータとして出力し、計測データに含まれているデータが第２電力のデータであれば、第２電力のデータとして出力する。また、出力部１２１は、第１モードにおいて、計測データに第１電力のデータと第２電力のデータとが含まれていれば、第１電力のデータを第１電力のデータとして、第２電力のデータを第２電力のデータとして出力する。
【００１７】
一方、出力部１２１は、第２モードでは、計測データに含まれている電力又は電力量のデータを入れ替えて出力する。言い換えると、出力部１２１は、第２モードでは、計測データに含まれているデータが第１電力のデータであれば、第２電力のデータとして出力し、計測データに含まれているデータが第２電力のデータであれば、第１電力のデータとして出力する。また、出力部１２１は、第２モードにおいて、計測データに第１電力のデータと第２電力のデータとが含まれていれば、第１電力のデータを第２電力のデータとして、第２電力のデータを第１電力のデータとして出力する。
【００１８】
具体的には、第１電力のデータを第２電力のデータとし、第２電力のデータを第１電力のデータとするためには、データの符号（正負）を反転させるだけでよい。したがって、出力部１２１は、第２モードでは、計測データに含まれているデータが第１電力のデータであれば、このデータの正負を反転させて、第２電力のデータとして出力する。また、出力部１２１は、第２モードでは、計測データに含まれているデータが第２電力のデータであれば、このデータの正負を反転させて、第１電力のデータとして出力する。
【００１９】
演算部１２２は、計測装置２から定期的に送られてくる計測データに基づいて、需要家施設７における積算電力量を演算するように構成されている。具体的には、演算部１２２は、計測装置２から３０分ごとに送られてくる電力使用量又は逆潮流値を積算して、所定期間（例えば、１時間、１日等）における積算電力量を演算する。
【００２０】
また、制御部１２は、通信部１１及び提示部１５を制御する機能を更に有している。制御部１２は、通信部１１を制御して計測装置２との間で無線通信を行わせることにより、計測装置２から計測データを取得（受信）する。また、制御部１２は、提示部１５を制御することによって、ユーザ（例えば、需要家施設７の住人）に対して所定の提示（例えば、需要家施設７の現在の電力状況等）を行う。
【００２１】
設定部１３は、出力部１２１の動作モードを第１モードと第２モードとのいずれかに設定するように構成されている。例えば本実施形態では、設定部１３は、提示部１５のタッチパネルに表示された設定画面１５１（図３参照）における第１設定ボタン１５１１及び第２設定ボタン１５１２を有している。そして、設定部１３は、第１設定ボタン１５１１及び第２設定ボタン１５１２のいずれが選択されるかによって、出力部１２１の動作モードを設定する。本実施形態では、設定部１３は、第１設定ボタン１５１１が選択されると、出力部１２１の動作モードを第１モードに設定し、第２設定ボタン１５１２が選択されると、出力部１２１の動作モードを第２モードに設定する。ここに、本実施形態では、第２設定ボタン１５１２により操作部が構成されている。
【００２２】
記憶部１４は、例えばフラッシュメモリ等の不揮発性メモリからなり、需要家施設７で消費される電力量と需要家施設７で生成される電力量との少なくとも一方を記憶（蓄積）するように構成されている。例えば本実施形態では、記憶部１４は、計測装置２から３０分ごとに送られてくる電力使用量と逆潮流値との少なくとも一方を記憶し、かつ演算部１２２の演算結果である所定期間における積算電力量を記憶する。
【００２３】
提示部１５は、例えばタッチパネルと、スピーカとを有している。図２Ａ、図２Ｂは、提示部１５のタッチパネルに表示される表示画面１５０の一例であり、需要家施設７の現在の電力状況を表示している。表示画面１５０の右下には、第１切替ボタン１５０１と第２切替ボタン１５０２とが表示されている。第１切替ボタン１５０１は、需要家施設７の現在の電力状況を表示させるためのボタンである。また、第２切替ボタン１５０２は、需要家施設７の使用電力量の目標値と現在までの使用電力量との比較結果を表示させるためのボタンである。
【００２４】
例えば、第１切替ボタン１５０１が押されたときに、電力系統３から需要家施設７に電力が供給されている場合には表示画面１５０に「買電中」と表示され、需要家施設７から電力系統３に電力が供給されている場合には表示画面１５０に「売電中」と表示される。また、第２切替ボタン１５０２が押されると、例えば使用電力量の目標値と現在までの使用電力量との比較結果がタッチパネルにグラフ等で表示される。この場合、タッチパネルへの表示形式は、例えば１年間の比較結果を月ごとに比較してもよいし、複数年の比較結果を年ごとに比較してもよく、表示形式は任意である。
【００２５】
また、図３は、タッチパネルに表示される設定画面１５１の一例である。設定画面１５１には、第１設定ボタン１５１１と第２設定ボタン１５１２と決定ボタン１５１３とが表示されている。第１設定ボタン１５１１は、出力部１２１の動作モードを第１モードに設定するためのボタンであり、第２設定ボタン１５１２は、出力部１２１の動作モードを第２モードに設定するためのボタンである。また、決定ボタン１５１３は、設定画面１５１において設定された内容を決定する際に押されるボタンである。設定画面１５１において設定された内容は記憶部１４に記憶される。
【００２６】
また、提示部１５は、スピーカから音声メッセージを出力することにより、需要家施設７についての電力に関する情報をユーザに提示することもできる。例えば、タッチパネルに表示されている第１切替ボタン１５０１を押したときに、タッチパネルに表示画面１５０を表示させるとともに、電力系統３から電力が供給されている状態であれば、「買電中です」等の音声メッセージをスピーカから出力させてもよい。
【００２７】
計測装置２は、例えば電力をデジタルで計測し、メータ内に通信機能を持たせた、いわゆるスマートメータである。計測装置２は、電力の需要家施設７ごとに設けられ、需要家施設７で消費される電力と需要家施設７で生成される電力との少なくとも一方を計測して、計測結果を表す計測データを出力する。言い換えると、計測装置２は、電力系統３から需要家施設７に供給される第１電力と、需要家施設７から電力系統３に供給される第２電力との少なくとも一方を計測して、計測結果を表す計測データを出力する。すなわち、計測データには、第１電力のデータと第２電力のデータとの少なくとも一方が含まれている。計測装置２は、エネルギー管理装置１の通信部１１との間で、Ｗｉ−ＳＵＮに準拠した無線通信を行うように構成されており、通信部１１に対して定期的に計測データを送信する。ここに、図１、図４Ａ及び図４Ｂにおける計測装置２と通信部１１との間の破線は、計測装置２と通信部１１との間の通信が無線通信であることを表している。
【００２８】
図４Ａ及び図４Ｂは、計測装置２と電力系統３と需要家施設７に設けられたパワーコンディショナ４との接続状態を表した模式図である。以下では、需要家施設７から電力系統３への売電のみを行っている場合を例として説明する。
【００２９】
図４Ａは、計測装置２に対して電力系統３及びパワーコンディショナ４が正しく接続された状態を表している。図４Ａに示す例では、計測装置２の第１端子Ｔ１に、第１電力線Ｌ１を介して電力系統３が接続され、計測装置２の第２端子Ｔ２に、第２電力線Ｌ２を介してパワーコンディショナ４が接続されている。また、パワーコンディショナ４には、太陽電池５と蓄電池６とが接続されている。したがって、この場合には、太陽電池５と蓄電池６との少なくとも一方から出力される直流電力がパワーコンディショナ４により交流電力に変換され、変換された交流電力が計測装置２を介して電力系統３に出力（逆潮流）される。
【００３０】
この場合、提示部１５のタッチパネルには、図２Ａに示す表示画面１５０が表示される。図２Ａに示す例では、太陽電池５から０．３ｋＷの交流電力が供給され、かつ蓄電池６から０．３ｋＷの交流電力が供給され、その結果、電力系統３に対して０．６ｋＷの交流電力が供給（逆潮流）されている。つまり、図２Ａに示す例では、需要家施設７から電力系統３への売電中であることが正しく表示されている。
【００３１】
図４Ｂは、計測装置２に対して電力系統３及びパワーコンディショナ４が誤って接続された状態を表している。言い換えると、図４Ｂでは、図４Ａと比較して、計測装置２の第１端子Ｔ１及び第２端子Ｔ２に対して電力系統３とパワーコンディショナ４とが反対に接続されている。すなわち、図４Ｂに示す例では、計測装置２の第１端子Ｔ１に、第２電力線Ｌ２を介してパワーコンディショナ４が接続され、計測装置２の第２端子Ｔ２に、第１電力線Ｌ１を介して電力系統３が接続されている。また、パワーコンディショナ４には、図４Ａと同様に、太陽電池５と蓄電池６とが接続されている。したがって、この場合には、太陽電池５と蓄電池６との少なくとも一方から出力される直流電力がパワーコンディショナ４により交流電力に変換され、変換された交流電力が計測装置２を介して電力系統３に出力（逆潮流）される。
【００３２】
ここで、上述した第１設定ボタン１５１１が選択されている場合、出力部１２１の動作モードは第１モードに設定される。つまり、この場合には、出力部１２１は、計測データに含まれているデータをそのまま出力することになる。そのため、提示部１５のタッチパネルには、図２Ｂに示す表示画面１５０が表示される。図２Ｂに示す例では、太陽電池５から０．３ｋＷの交流電力が供給され、かつ蓄電池６から０．３ｋＷの交流電力が供給され、その結果、電力系統３から需要家施設７に０．６ｋＷの交流電力が供給されている。すなわち、計測装置２の配線が正しければ、図２Ａに示すように、電力系統３に対して０．６ｋＷの交流電力が供給（売電）されていると表示されるところ、計測装置２の配線が誤っているため、表示画面１５０の表示も誤っている。言い換えると、電力系統３と需要家施設７との間の電力の向きが逆になっている。その結果、表示画面１５０において「売電中」と表示されるべきところ、「買電中」と表示されている（図２Ｂ参照）。
【００３３】
このように、計測装置２の配線が誤っている場合、図４Ａに示すように、正しい配線に直すことが好ましいが、計測装置２の設置状況等によっては配線を直すことが困難な場合もある。そのため、本実施形態のエネルギー管理装置１では、計測装置２の配線が誤っている場合でも、計測装置２の配線を直すことなく、正しい電力を計測できるように、出力部１２１の動作モードを変更できるように構成されている。以下、出力部１２１の動作モードが第２モードに設定されている場合の出力部１２１の動作について説明する。
【００３４】
図４Ｂに示す例では、計測装置２からの計測データに含まれているデータが第１電力（電力系統３から需要家施設７への電力）のデータであるため、出力部１２１は、このデータの符号（正負）を反転させて、第２電力のデータとして提示部１５に出力する。したがって、提示部１５では、出力部１２１から出力される第２電力のデータに基づいた表示を行うことになり、図２Ａに示すように、需要家施設７の現在の電力状況が表示画面１５０に正しく表示される。
【００３５】
すなわち、本実施形態のエネルギー管理装置１によれば、計測装置２の配線が誤っている場合でも、計測装置２からの計測データに含まれる電力データの符号を反転させるだけで、正しい電力を計測することができる。また、本実施形態のエネルギー管理装置１によれば、設定部１３により設定するだけでよく、計測装置２の配線を正しい配線に直さなくてもよいという利点もある。
【００３６】
次に、本実施形態のエネルギー管理装置１の一連の動作について、図５を参照して説明する。
【００３７】
エネルギー管理装置１の制御部１２は、通信部１１を制御して計測装置２との間で無線通信を行わせることにより、計測装置２から計測データを受信（取得）する（ステップＳ１）。ここで、計測データには、計測装置２において計測された３０分間の電力使用量が含まれていると仮定する。次に、制御部１２は、設定部１３の設定内容に応じて出力部１２１の動作モードが第１モードと第２モードとのどちらであるかを判別する。例えば、上述の設定画面１５１において第１設定ボタン１５１１が選択されている場合、制御部１２は、出力部１２１の動作モードが第１モードであると判断する。また、上述の設定画面１５１において第２設定ボタン１５１２が選択されている場合、制御部１２は、出力部１２１の動作モードが第２モードであると判断する。出力部１２１は、動作モードが第２モードに設定されている場合（ステップＳ２のＹｅｓ）、入替処理を行う（ステップＳ３）。具体的には、出力部１２１は、例えば計測装置２からの計測データに第１電力のデータが含まれていれば、第１電力のデータの符号を反転させて第２電力のデータとして出力する。そして、制御部１２は、出力部１２１から出力される第２電力のデータ（電力量）を記憶部１４に記憶（蓄積）させる（ステップＳ４）。
【００３８】
一方、出力部１２１は、動作モードが第１モードに設定されている場合（ステップＳ２のＮｏ）、入替処理を行わない。具体的には、出力部１２１は、例えば計測装置２からの計測データに第１電力のデータが含まれていれば、第１電力のデータをそのまま出力する。そして、制御部１２は、出力部１２１から出力される第１電力のデータを記憶部１４に記憶（蓄積）させる（ステップＳ４）。
【００３９】
ところで、計測装置（スマートメータ）２の配線が誤っている場合でも、出力部１２１の動作モードを第２モードに設定した後では、計測装置２から取得した電力データの符号を反転させてから記憶部１４に記憶させており、正しい値で記憶されることになる。これに対して、出力部１２１の動作モードを第２モードに設定する前、言い換えると動作モードが第１モードに設定されている場合、計測装置２から取得した電力データをそのまま記憶部１４に記憶させているため、誤った値が記憶部１４に記憶される。この場合、出力部１２１は、動作モードが第１モードに設定されているときに記憶部１４に記憶させた電力データについて、動作モードが第２モードに設定された時点で符号を反転させて記憶部１４に記憶させるように構成されていることが好ましい。これにより、出力部１２２の動作モードが第２モードに設定される前に記憶部１４に記憶させた誤った電力データについても、正しい電力データに修正して記憶部１４に記憶させることができる。
【００４０】
ここで、エネルギー管理装置１がコンピュータ（マイコンを含む）を主構成とする場合、コンピュータのメモリに記録されるプログラムは、コンピュータに、受信ステップと出力ステップと設定ステップとを実行させるためのプログラムである。受信ステップでは、計測装置（スマートメータ）２から計測データを受信する。計測装置２は、電力系統３から需要家施設７へ供給される第１電力と需要家施設７から電力系統３へ供給される第２電力との少なくとも一方を計測して当該計測結果を表す計測データを出力する。出力ステップでは、計測データに含まれているデータを出力する。設定ステップでは、出力ステップでの動作モードを第１モードと第２モードとのいずれかに設定する。出力ステップにおいて、動作モードが第１モードであるときには、計測データに第１電力のデータが含まれていれば第１電力のデータとして出力し、計測データに第２電力のデータが含まれていれば第２電力のデータとして出力する。また、出力ステップにおいて、動作モードが第２モードであるときには、計測データに第１電力のデータが含まれていれば第２電力のデータとして出力し、計測データに第２電力のデータが含まれていれば第１電力のデータとして出力する。
【００４１】
このプログラムによれば、専用のエネルギー管理装置１を用いなくても、本実施形態のエネルギー管理装置１と同等の機能を実現することができ、計測装置２の配線が誤っている場合でも正しい電力を計測することができる。
【００４２】
以下、本実施形態のエネルギー管理装置１の変形例について説明する。
【００４３】
上述の実施形態では、３０分ごとの電力使用量又は逆潮流値を計測装置２から取得（受信）するように構成されているが、上記期間は３０分に限らず、任意の期間に設定することができる。
【００４４】
また、上述の実施形態では、提示部１５に表示される設定画面１５１の第１設定ボタン１５１１及び第２設定ボタン１５１２により、出力部１２１の動作モードをユーザが設定するように構成されている。これに対して、例えば計測装置２の配線が誤っている場合に、計測装置２の配線が誤っている旨の通知が計測データに含まれるようになっていれば、この通知の有無によって出力部１２１の動作モードを自動的に設定することもできる。
【００４５】
また、上述の実施形態では、需要家施設７から電力系統３への売電のみを行う場合を例として説明したが、電力系統３から需要家施設７への買電のみを行う場合、又は、需要家施設７が電力系統３との間で買電と売電との両方を行う場合についても同様である。すなわち、上述の実施形態と同様に、出力部１２１の動作モードを第２モードに設定することにより、計測装置２の配線が誤っている場合でも正しい電力を計測することができる。
【００４６】
また、計測装置２から取得した電力量については、設定部１３の設定内容にかかわらず、計測装置２から取得したそのままの値を記憶部１４に記憶（蓄積）させるように構成されていてもよい。この場合、設定部１３により出力部１２１の動作モードが第２モードに設定されていれば、記憶部１４から読み出した後に符号を反転させてから出力することで、正しい電力データを出力することができる。
【００４７】
上述の実施形態では、エネルギー管理装置１に提示部１５が設けられている場合を例として説明したが、提示部はエネルギー管理装置１と一体に設けられていなくてもよい。例えば、提示部は、スマートフォン、ＰＤＡ（Personal Data Assistant）等の通信端末に設けられていてもよい。この場合、需要家施設７とは異なる需要家施設の住人が通信端末を所持していれば、需要家施設７の電力状況を通信端末により把握することができる。しかしながら、需要家施設７に設けられた計測装置２の配線が誤っており、かつ出力部１２１の動作モードが第１モードしかなければ、例えば太陽電池５の発電によって売電中であるにもかかわらず、買電中であると表示されることになる。その結果、上記住人が、需要家施設７の電力状況を正しく把握できない場合がある。これに対して、本実施形態のエネルギー管理装置１を用いた場合には、計測装置２の配線が誤っている場合でも、出力部１２１の動作モードを第２モードに設定することにより正しい電力を計測することができる。その結果、上記住人は、通信端末によって需要家施設７の電力状況を正しく把握することができる。
【００４８】
また、上述の実施形態では、計測装置２とエネルギー管理装置１の通信部１１との間で、Ｗｉ−ＳＵＮに準拠した無線通信を行うように構成されている。これに対して、計測装置２と通信部１１との間の通信は、Ｗｉ−ＳＵＮに準拠した無線通信に限らず、例えばＢｌｕｅｔｏｏｔｈ（登録商標）に準拠した無線通信であってもよいし、専用の信号線や電力線を介した有線通信であってもよい。
【００４９】
また、上述の実施形態では、第１設定ボタン１５１１が選択されると、出力部１２１の動作モードが第１モードに設定され、第２設定ボタン１５１２が選択されると、出力部１２１の動作モードが第２モードに設定されるが、逆であってもよい。
【００５０】
また、上述の実施形態では、出力部１２１の動作モードが第１モードに設定されているときに記憶部１４に記憶させた電力データについて、出力部１２１の動作モードが第２モードに設定された時点で符号を反転させた電力データを記憶部１４に記憶させている。これに対して、出力部１２１の動作モードが第１モードに設定されているときに記憶部１４に記憶させた電力データについて、記憶部１４から読み出した後に符号を反転させてから出力するように構成されていてもよい。つまり、この場合には、出力部１２１の動作モードが第１モードであるときに記憶部１４に記憶させた電力データを、誤った値のまま記憶部１４に記憶させることになる。
【００５１】
以上述べた実施形態から明らかなように、第１の態様のエネルギー管理装置１は、通信部１１と、出力部１２１と、設定部１３とを備える。通信部１１は、計測装置２から計測データを受信する。計測装置２は、電力系統３から需要家施設７へ供給される第１電力と需要家施設７から電力系統３へ供給される第２電力との少なくとも一方を計測して当該計測結果を表す計測データを出力する。出力部１２１は、動作モードとして第１モードと第２モードとを有する。設定部１３は、出力部１２１の動作モードを第１モードと第２モードとのいずれかに設定する。出力部１２１は、第１モードでは、計測データに第１電力のデータが含まれていれば第１電力のデータとして出力し、計測データに第２電力のデータが含まれていれば第２電力のデータとして出力するように構成されている。出力部１２１は、第２モードでは、計測データに第１電力のデータが含まれていれば第２電力のデータとして出力し、計測データに第２電力のデータが含まれていれば第１電力のデータとして出力するように構成されている。
【００５２】
第１の態様によれば、出力部１２１の動作モードが第２モードに設定されていると、出力部１２１は計測データに含まれているデータを入れ替えて出力する。そのため、計測装置２の配線が誤っている場合でも、出力部１２１の動作モードを第２モードに設定することで正しい電力を計測することができる。
【００５３】
第２の態様のエネルギー管理装置１では、第１の態様において、設定部１３は、ユーザの操作を受け付ける操作部（第２設定ボタン１５１２）を有する。設定部１３は、操作部がユーザの操作を受け付けた場合に、出力部１２１の動作モードを第２モードに設定するように構成されている。
【００５４】
第２の態様によれば、出力部１２１の動作モードをユーザの判断で選択することができる。ただし、この構成はエネルギー管理装置の必須の構成ではなく、例えば設定部１３が計測装置２からの信号に従って出力部１２１の動作モードを自動的に選択するように構成されていてもよい。
【００５５】
第３の態様のエネルギー管理装置１は、第１又は２の態様において、演算部１２２と、記憶部１４とを更に備える。演算部１２２は、計測データに基づいて需要家施設７における電力量を演算する。記憶部１４は、演算部１２２の演算結果である電力量を記憶する。出力部１２１は、第２モードでは、動作モードが第１モードであるときに記憶部１４に記憶させた電力量について、正負を反転させた電力量を記憶部１４に記憶させる、又は、記憶部１４から読み出した後に電力量の正負を反転させるように構成されている。
【００５６】
第３の態様によれば、記憶部１４に記憶（蓄積）させた電力量についても、出力部１２１によって正しい電力量に修正することができる。ただし、この構成を採用するか否かは任意である。
【００５７】
第４の態様のエネルギー管理装置１では、第１〜３の態様のいずれかにおいて、出力部１２１の出力を提示する提示部１５を更に備えている。
【００５８】
第４の態様によれば、出力部１２１の出力を提示部１５に提示させることで、需要家施設７における正しい電力データをユーザに知らせることができる。ただし、この構成はエネルギー管理装置の必須の構成ではなく、提示部は省略されていてもよい。
【００５９】
第５の態様のプログラムは、コンピュータに、受信ステップと、出力ステップと、設定ステップと、を実行させる。受信ステップは、計測装置２から計測データを受信するステップである。計測装置２は、電力系統３から需要家施設７へ供給される第１電力と需要家施設７から電力系統３へ供給される第２電力との少なくとも一方を計測して当該計測結果を表す計測データを出力する。出力ステップは、計測データに含まれているデータを出力するステップである。設定ステップは、出力ステップでの動作モードを第１モードと第２モードとのいずれかに設定するステップである。出力ステップにおいて、動作モードが第１モードであるときには、計測データに第１電力のデータが含まれていれば第１電力のデータとして出力し、計測データに第２電力のデータが含まれていれば第２電力のデータとして出力する。また、出力ステップにおいて、動作モードが第２モードであるときには、計測データに第１電力のデータが含まれていれば第２電力のデータとして出力し、計測データに第２電力のデータが含まれていれば第１電力のデータとして出力する。
【００６０】
第５の態様によれば、計測装置２の配線が誤っている場合でも、専用のエネルギー管理装置を用いることなく、正しい電力を計測することができる。
【符号の説明】
【００６１】
１  エネルギー管理装置
２  計測装置
３  電力系統
７  需要家施設
１１  通信部
１３  設定部
１４  記憶部
１５  提示部
１２１  出力部
１２２  演算部
１５１２  第２設定ボタン（操作部）
【図１】
2018098939.tif 000003
【図２】
2018098939.tif 000004
【図３】
2018098939.tif 000005
【図４】
2018098939.tif 000006
【図５】
2018098939.tif 000007